(57)【要約】【課題】利用者による提供情報の認識性を高め、ＨＭＩを向上させることができる車両用情報提供装置を提供する【解決手段】少なくとも背景画像２０１，警報メッセージ情報２０２からなる視覚情報を含む各種視覚情報を画面内に切換表示する視覚情報提供手段Ｖと、少なくとも音／音声メッセージ情報３０１を含む聴覚情報を出力する聴覚情報提供手段Ａと、各種入力情報に応じて視覚情報提供手段Ｖと聴覚情報提供手段Ａに視覚情報と聴覚情報を出力させる制御手段１０３とを備えており、制御手段１０３は入力情報に基づいて所定の提供条件が成立すると、音／音声メッセージ情報３０１より先に警報メッセージ情報２０２の出力を行い、音／音声メッセージ情報３０１の出力終了後に警報メッセージ情報２０２の出力を継続する提供処理を行う。【選択図】  図２
2004255945.tif 000002
【特許請求の範囲】
【請求項１】
各種視覚情報を画面内に切換表示する視覚情報提供手段と、
聴覚情報を出力する聴覚情報提供手段と、
入力情報に応じて前記視覚情報提供手段と前記聴覚情報提供手段に前記視覚情報と前記聴覚情報を出力させる制御手段とを備え、
前記制御手段は前記入力情報に基づく所定の提供条件が成立すると、特定情報に係わる前記視覚情報と前記聴覚情報のうち前記聴覚情報より先に前記視覚情報の出力を行い、前記聴覚情報の出力終了後に前記視覚情報の出力を継続する提供処理を行うことを特徴とする車両用情報提供装置。
【請求項２】
前記制御手段は、前記聴覚情報の出力終了後、前記視覚情報の出力を所定時間、または前記入力情報に基づく解除条件が成立するまで継続させることを特徴とする請求項１に記載の車両用情報提供装置。
【請求項３】
前記制御手段は、前記聴覚情報の出力終了後、前記視覚情報の出力を所定時間縦続した後、その前記画面内における表示サイズを縮小して継続出力することを特徴とする請求項１に記載の車両用情報提供装置。
【請求項４】
前記制御手段は、前記視覚情報の表示サイズを縮小するとき、縮小前の内容に対し、縮小後の内容を短縮することを特徴とする請求項３に記載の車両用情報提供装置。
【請求項５】
前記視覚情報が前記特定情報に相応する文字メッセージからなり、短縮後の前記視覚情報が短縮前の前記視覚情報を構成する特定の文字を含むことを特徴とする請求項４記載の車両用情報提供装置。
【請求項６】
前記視覚情報と前記聴覚情報の双方が前記特定情報に相応する文字・聴覚メッセージからなり、前記制御手段は前記提供処理を行う際、前記聴覚情報の聴覚メッセージの内容を前記視覚情報の文字メッセージの内容に対し、短縮して出力させることを特徴とする請求項１に記載の車両用情報提供装置。
【請求項７】
前記聴覚メッセージが前記視覚情報を構成する前記文字メッセージ中、少なくとも特定の前記文字メッセージに合致するメッセージ情報を含むことを特徴とする請求項６に記載の車両用情報提供装置。
【請求項８】
前記制御手段は、前記視覚情報の出力終了から所定時間経過したとき、あるいは、前記入力情報として車両に装備されたキースイッチの動作情報を受信したとき、前記所定の提供条件が継続しているか否かを判定し、その提供条件が継続していれば、前記提供処理を繰り返すことを特徴とする請求項１に記載の車両用情報提供装置。
【請求項９】
前記制御手段は、前記視覚情報の出力終了から所定時間経過したとき、あるいは、前記入力情報として車両に装備されたキースイッチの動作情報を受信したとき、前記所定の提供条件が継続しているか否かを判定し、その提供条件が継続していたとき、前記視覚情報だけを出力させることを特徴とする請求項１に記載の車両用情報提供装置。
【請求項１０】
前記制御手段は、前記所定の提供条件が複数種類成立したとき、予め定められた優先順序に従って、前記種類毎に前記特定情報に係わる前記提供処理を行うことを特徴とする請求項１に記載の車両用情報提供装置。
【請求項１１】
前記制御手段は、前記聴覚情報を出力するとき、車両に装備されたオーディオ装置の音量をミユートさせることを特徴とする請求項１に記載の車両用情報提供装置。
【発明の詳細な説明】
【０００１】
【発明の属する技術分野】
本発明は、視覚情報と聴覚情報を組み合わせて利用者に各種情報を提供する車両用情報提供装置に関し、特に視覚情報提供手段として画面内に各種視覚情報を切換表示するマルチディスプレイ手段、聴覚情報提供手段として音声合成手段を用い、その時々の状況に合った情報提供を行う車両用情報提供装置に関する。
【０００２】
【従来の技術】
この種の車両用情報提供装置は、例えば下記特許文献１に記載されているものが知られている。当該特許文献１に記載の車両用情報提供装置は、ディスプレイ手段（視覚情報提供手段）と音声出力手段（聴覚情報出力手段）とを有し、ディスプレイ手段には視覚情報として走行距離値や電圧値、時刻といった通常情報と所定の警報情報を表示させ、音声出力手段には緊急を要する情報や視覚情報では誤解を招くおそれのある情報を聴覚情報として音声出力するよう構成され、ディスプレイ手段と音声出力手段の双方を通じて内容的に重複する特定の警報情報を提供する点も記載されている。
【０００３】
【特許文献１】
特開平９−６６７８３号公報
【０００４】
【発明が解決しようとする課題】
しかしながら、前記公知例に記載されているように、単に視覚情報と聴覚情報を多重出力するだけでは、例えば利用者が出力情報を認識しづらかったり、あるいは煩わしさを感じることがある。従って、視覚情報と聴覚情報の双方にて利用者に情報提供を行うに場合には、その提供形態に工夫を加え、利用者とのヒューマン・マシン・インターフェース（ＨＭＩ）を向上させる必要がある。
【０００５】
本発明は、上記の点に鑑みてなされたものであり、その主な目的は、視覚情報と聴覚情報の特性を活かすことにより、利用者による提供情報の認識性を高め、ヒューマン・マシン・インターフェース（ＨＭＩ）を向上させた車両用情報提供装置の提供することにある。
【０００６】
【課題を解決するための手段】
本発明は、前記目的を達成するため、各種視覚情報を画面内に切換表示する視覚情報提供手段と、聴覚情報を出力する聴覚情報提供手段と、入力情報に応じて前記視覚情報提供手段と前記聴覚情報提供手段に前記視覚情報と前記聴覚情報を出力させる制御手段とを備え、前記制御手段は前記入力情報に基づく所定の提供条件が成立すると、特定情報に係わる前記視覚情報と前記聴覚情報のうち前記聴覚情報より先に前記視覚情報の出力を行い、前記聴覚情報の出力終了後に前記視覚情報の出力を継続する提供処理を行うことを特徴とする。
【０００７】
また本発明は、前記制御手段が前記聴覚情報の出力終了後、前記視覚情報の出力を所定時間、または前記入力情報に基づく解除条件が成立するまで継続させることを特徴とする。
【０００８】
また本発明は、前記制御手段が前記聴覚情報の出力終了後、前記視覚情報の出力を所定時間縦続した後、その前記画面内における表示サイズを縮小して継続出力することを特徴とする。
【０００９】
また本発明は、前記制御手段が前記視覚情報の表示サイズを縮小するとき、縮小前の内容に対し、縮小後の内容を短縮することを特徴とする。
【００１０】
また本発明は、前記視覚情報が前記特定情報に相応する文字メッセージからなり、短縮後の前記視覚情報が短縮前の前記視覚情報を構成する特定の文字を含むことを特徴とする。
【００１１】
また本発明は、前記視覚情報と前記聴覚情報の双方が前記特定情報に相応する文字・聴覚メッセージからなり、前記制御手段は前記提供処理を行う際、前記聴覚情報の聴覚メッセージの内容を前記視覚情報の文字メッセージの内容に対し、短縮して出力させることを特徴とする。
【００１２】
また本発明は、前記聴覚メッセージが前記視覚情報を構成する前記文字メッセージ中、少なくとも特定の前記文字メッセージに合致するメッセージ情報を含むことを特徴とする。
【００１３】
また本発明は、前記制御手段が前記視覚情報の出力終了から所定時間経過したとき、あるいは、前記入力情報として車両に装備されたキースイッチの動作情報を受信したとき、前記所定の提供条件が継続しているか否かを判定し、その提供条件が継続していれば、前記提供処理を繰り返すことを特徴とする。
【００１４】
また本発明は、前記制御手段が前記視覚情報の出力終了から所定時間経過したとき、あるいは、前記入力情報として車両に装備されたキースイッチの操作情報を受信したとき、前記所定の提供条件が継続しているか否かを判定し、その提供条件が継続していたとき、前記視覚情報だけを出力させることを特徴とする。
【００１５】
また本発明は、前記制御手段が前記所定の提供条件が複数種類成立したとき、予め定められた優先順序に従って、前記種類毎に前記特定情報に係わる前記提供処理を行うことを特徴とする。
【００１６】
また本発明は、前記制御手段が前記聴覚情報を出力するとき、車両に装備されたオーディオ装置の音量をミユートさせることを特徴とする。
【００１７】
【発明の実施の形態】
以下、本発明の実施の形態を添付図面に基づいて説明する。
図１は、車両用情報提供装置の外観を示す正面図である。ここで車両用情報提供装置１は、各種視覚情報を切換表示するマルチディスプレイ装置１０と、指針式のアナログゲージ２０とを有している。マルチディスプレイ装置１０としては、例えばＴＦＴ型ＬＣＤ素子、有機ＥＬ素子からなる画面を有するがディスプレイパネルが適用可能である。またアナログゲージ２０はそれぞれ回転計２１，燃料計２２，温度計２３を構成する。
【００１８】
図２は、図１の車両用情報提供装置１のシステム構成を示すブロック図である。ここで車両用情報提供装置１は、入力端子１０１ａ〜１０１ｃと、出力端子１０１ｄ，１０１ｅと、入力インターフェース１０２ａと、出力インターフェース１０２ｂと、車両用情報提供装置１を制御する制御手段１０３と、記憶手段１０４と、制御手段１０３の出力側に各々接続される表示駆動手段１０５及び音／音声合成手段１０６及びゲージ駆動手段１０７と、これら表示駆動手段１０５及び音声合成手段１０６及びゲージ駆動手段１０７の出力側にそれぞれ接続されるマルチディスプレイ装置１０及びアンプ１０８とアナログゲージ２０とで構成されている。なお本実施形態では表示駆動手段１０５とマルチディスプレイ装置１０とで視覚情報提供手段Ｖが構成され、また音声合成手段１０６とアンプ１０８とスピーカ１４０で聴覚情報出力手段Ａが構成される。
【００１９】
入力端子１０１ａは、車両に装備されたキースイッチ（イグニツションキーまたは電源スイッチ）の作動情報（入力情報）を入力する端子、入力端子１０１ｂは、例えば車両状態を検出する状態検出手段（例えば回転センサ、燃料センサ、温度センサ、速度センサ、走行距離センサ、燃料噴射量センサ、ドアセンサ、外気温センサ、タイヤ空気圧センサ等のセンサ類）からの計測・検出情報（入力情報）を入力する端子（複数本）、入力端子１０１ｃは、車両に装備された音声認識装置１２０からの指示情報（入力情報）を入力する端子であり、これら入力端子１０１ａ〜１０１ｃは、入力インターフェース１０２ａに接続されている。
【００２０】
一方、出力端子１０１ｄは、車両に装備されたオーディオ装置１３０へのミユート情報（ミュート信号）を出力する端子、出力端子１０１ｅは、アンプ１０８の出力情報を出力する端子であり、これら出力端子１０１ｄ，１０１ｅは、出力インターフェース１０２ｂを介してオーディオ装置１３０及びスピーカ１４０にそれぞれ接続されている。
【００２１】
制御手段１０３は、マイクロコンピュータからなり、入力インターフェース１０２ａを介して受信される各入力情報を処理し、その処理結果に基づいてマルチディスプレイ装置１０，アナログゲージ２０のそれぞれを表示駆動手段１０５，ゲージ駆動手段１０７を通じて動作させると共に、音声合成手段１０６，アンプ１０８，オーディオ装置１３０を通じてスピーカ１４０を動作させる。
【００２２】
記憶手段１０４には、制御手段１０３によって実行される入力情報処理プログラムが格納される他、マルチディスプレイ装置１０に表示する背景画像パターンや表示画像パターンが画像データとして格納されており、制御手段１０３は、入力情報処理プログラムに基づいて記憶手段１０４から表示すべき画像データを選択し、表示制御手段１０５を介してマルチディスプレイ１０に視覚情報として表示させる。
【００２３】
音／音声合成手段１０６は、例えば音声合成ＩＣからなり、種々の聴覚情報が聴覚データとして記憶されており、制御手段１０３は、入力情報処理プログラムに基づいて音／音声合成手段１０６から出力すべき聴覚データ選択し、この選択された聴覚データをアンプ１０８にて増幅すると共に出力端子１０１ｅを介してスピーカ１４０に送信し聴覚情報として出力させる。
【００２４】
なお本実施形態では、車両用情報提供装置１外に装備されたオーディオ装置１３０のスピーカ１４０を聴覚情報を提供する際に利用しているが、車両用情報提供装置１内に専用のスピーカを設けることもできる。
【００２５】
図３〜図５は、視覚情報出力及び聴覚情報出力のタイミング図、図６〜図８は、視覚情報の表示例を示す正面図である。
【００２６】
次に図２〜図１１を用いて本発明の特徴について説明する。制御手段１０３は、入力端子１０１ａ〜１０１ｃを介して入力情報を入手し、これら入力情報に応じ、視覚情報出力手段Ｖによる視覚情報の出力（表示）と、聴覚情報出力手段Ａによる聴覚情報の出力を行わせる。
【００２７】
具体的には、まず、図３に沿って説明する。制御手段１０３は、入力端子１０１ａを通じて入手したキースイッチからの動作情報に基づいてキースイッチの動作状態（オン・オフ）を判定し、時刻ｔ１にてキースイッチがオン状態に切り替わったと判定すると、視覚情報出力手段Ｖ（マルチディスプレイ装置１０）の画面に視覚情報として背景画像２０１を表示する（図６参照）。なお、このとき背景画像２０１中に例えば「おはようございます」、「こんにちは」、「こんばんは」、「ＷＥＬＣＯＭＥ」等の挨拶情報を表示したり、聴覚情報出力手段Ａを介してこれら挨拶情報を音声情報として出力してもよい。
【００２８】
次に制御手段１０３は、入力端子１０１ｂを通じて入手したセンサ類（この場合、燃料センサや噴射量センサ、走行距離センサ）からの入力情報に基づいて走行可能距離の演算を行い、その演算結果が例えば所定の走行可能距離に満たない場合、燃料不足情報（特定情報）に係わる警報条件（所定の提供条件）が成立したと判断し（時刻ｔ２）、燃料不足情報について以下の提供処理を行う。
【００２９】
まず視覚情報出力手段Ｖ（マルチディスプレイ装置１０）に表示されている背景画像２０１上に、燃料不足情報に係わる視覚情報として「走行可能距離５０ｋｍ給油してください」なる警報メッセージ情報（文字情報メッセージ）２０２を表示させる（図７）。
【００３０】
この警報メッセージ情報２０２は、所定の背景領域２０２ａを有し、その背景領域２０２ａの色は単一色で大きさはマルチディスプレイ装置１０の画面の最大面積よりも小さく設定されている（この状態の背景領域２０２ａを含んだ警報メッセージ情報２０２の全体の大きさを通常表示サイズｎｓとする）。
【００３１】
次に制御手段１０３は、警報メッセージ情報２０２の出力開始（時刻ｔ２）から所定時間経過後の時刻ｔ３をもって、聴覚情報出力手段Ａに特定情報（燃料不足情報）に係わる聴覚情報を出力させる。
【００３２】
この聴覚情報は、「ポーン」なるビープ音と「給油してください」なる音声とで構成される音／音声メッセージ情報（聴覚メッセージ）３０１からなり（図７参照）、最初に「ポーン」なるビープ音が出力され（時刻ｔ３）、それが終了すると、「給油してください」なる音声に変化するもので（時刻ｔ４）、「給油してください」なる音声メッセージ情報部分は、「走行可能距離５０ｋｍ給油してください」なる警報メッセージ情報２０２の内容に対して短縮した内容、すなわち、警報メッセージ情報２０２中、「走行可能距離５０ｋｍ」なる文字情報部分を省略し「給油してください」なる文字情報部分を音声にて読み上げる出力となり、この結果、警報メッセージ情報２０２中、特定の文字メッセージ（ここでは「給油してください」）に合致する（聴覚）メッセージ情報となる。
【００３３】
一方、警報メッセージ情報２０２は、時刻ｔ２から開始され、音／音声メッセージ情報３０１の出力が終了する時刻ｔ５を経過した後の時刻ｔ６まで通常表示サイズｎｓで継続され、時刻ｔ６の経過後は、「燃料給油」なる縮小表示サイズｄｓに切り替わり（図８）、その内容も通常表示サイズｎｓの警報メッセージ情報２０２の内容に対して短縮される。この場合、短縮とはメッセージ情報を構成する文字情報の削減を意味し、通常表示サイズｎｓの警報メッセージ情報２０２の一部を構成する「給油」なる文字に新たに「燃料」なる文字を加えて「燃料給油」なるメッセージ情報を構成するもので、この縮小表示サイズｄｓでの警報メッセージ情報２０２は、時刻ｔ６からキースイッチオフとなる時刻ｔ７まで継続する。
【００３４】
また制御手段１０３は、警報条件の成立（時刻ｔ２）直後、音／音声メッセージ情報３０１の出力が開始される時刻ｔ３より前にオーディオ装置１２０に対し、出力端子１０１ｄを介してミユート指示信号を出力し、オーディオ装置１２０の音量を消音または小さくする処理を行い、このミュート処理は、音／音声メッセージ情報３０１の出力が終了する時刻ｔ５以後も所定時間継続し、時刻ｔ６をもって終了するが、このミュート処理を行う時期は、少なくとも音／音声メッセージ情報３０１出力期間（時刻ｔ３〜時刻ｔ５）継続させることが望ましい。
【００３５】
次に制御手段１０３は、時刻ｔ７のキースイッチオフ後、時刻ｔ８にて再びキースイッチのオンを判定すると、警報条件（所定の提供条件）の成立の有無を確認し、警報条件が成立していた場合、再び通常表示サイズｎｓの警報メッセージ情報２０２を表示させ（図７参照）、その後、時刻ｔ９にて縮小表示サイズｄｓに切り換えて表示を継続するが（図８参照）、この場合、警報条件の再成立となるので、聴覚情報の出力は行わず、警報メッセージ情報２０２のみの出力となり、ミュート処理は行われない。
【００３６】
次に図４に基づき、所定の提供条件以外の成立例として、キースイッチの抜き忘れに係わる警報条件が成立した場合を説明する。
【００３７】
制御手段１０３は、キースイッチのオフ後（時刻ｔ１１）に、キースイッチの存在有無（キーシリンダへの挿入有無）に関する入力情報やドアセンサからのドア開閉に関する入力情報を入手し、キースイッチが存在しているにも係わらずドアが開放状態にあるとの警報条件が成立したと判断すると（時刻ｔ１２）、時刻ｔ１２から所定時間経過後の時刻ｔ１３にてキースイッチの抜き忘れに関する聴覚情報出力を開始する。この際、聴覚情報は、音／音声メッセージ情報３０１と同様、最初に「ポーン」なるビープ音が出力され（ｔ１３）、それが終了すると、時刻ｔ１４にて「キーを抜いてください」なる音声メッセージ情報に変化し、この音声メッセージ情報３０１の出力は時刻ｔ１５で一旦終了する。またこの音／音声メッセージ情報３０１は、時刻ｔ１３〜時刻ｔ１５に渡る出力を１サイクルとし、キースイッチをキーシリンダから抜く等の解除条件が成立するまで（時刻ｔ１６）の間、少なくとも２サイクル以上繰り返されるが、この場合は警報メッセージ情報２０２の出力は行われない。またミュート処理は、警報条件の成立となる時刻ｔ１２から解除条件の成立となる時刻ｔ１６までの期間中、継続されるが、音／音声メッセージ情報３０１の出力サイクル毎にミュート処理を実行してもよい。
【００３８】
次に、図５、図９〜図１１に基づき、所定の提供条件が重複して成立した場合を説明する。
【００３９】
制御手段１０３は、キースイッチがオン状態にあり（時刻ｔ１７）、次に第１，第２の警報条件（第１の所定の提供条件，第２の所定の提供条件）のそれぞれについて警報条件が成立したか否かを判定する。
【００４０】
このとき、制御手段１０３は、入力端子１０１ａを通じて外気温センサから外気温情報を入手し、それが所定温度よりも低い（例えば氷点下）の場合、スリップ注意情報（第１の特定情報）に係わる第１の警報条件（第１の所定の提供条件）が成立したと判断し、視覚情報提供手段Ｖと聴覚情報提供手段Ａにスリップ注意情報に係わる視覚情報と聴覚情報の双方を出力させる。また制御手段１０３は、入力端子１０１ａを通じてタイヤ空気圧センサから空気圧情報を入手し、それが所定空気圧よりも小さい場合、タイヤ空気圧低下情報（第２の特定情報）に係わる第２の警報条件（第２の所定の提供条件）が成立したと判断し、視覚情報提供手段Ｖと聴覚情報提供手段Ａにタイヤ空気圧低下情報に係わる視覚情報と聴覚情報の双方を出力させる。
【００４１】
ここで、例えば時刻ｔ１８にて第１，第２の警報条件の双方が成立した場合、制御手段１０３は、所定の優先順序に従って各警報条件毎に以下の提供処理を実行する。
【００４２】
まず、制御手段１０３は、第２の警報条件に対し第１の警報条件を優先させ、時刻ｔ１８にて視覚情報提供手段Ｖに、スリップ注意情報に係わる視覚情報として「外気温−２度Ｃ  路面の凍結が疑われます  スリップに注意してください」なる警報メッセージ情報２０２（文字メッセージ）を表示させる（図９）。
【００４３】
この警報メッセージ情報２０２の概要は、図７記載の燃料不足情報の場合と同様の背景領域２０２ａを有し、ここでは通常表示サイズｎｓで表示される。
【００４４】
次に制御手段１０３は、聴覚情報提供手段Ａにスリップ注意情報に係わる聴覚情報を出力させる。この聴覚情報は「ポーン」なるビープ音と「スリップに注意してください」なる音声メッセージとで構成される音／音声メッセージ情報（聴覚メッセージ）３０１からなり（図９参照）、時刻ｔ１９をもって最初に「ポーン」なるビープ音が出力され、それが終了する時刻ｔ２０をもって、「スリップに注意してください」なる音声メッセージ情報情報を出力させる。なおこの音／音声メッセージ情報３０１の音声メッセージ部分も「外気温−２度Ｃ  路面の凍結が疑われます  スリップに注意してください」なる警報メッセージ情報２０２の内容に対し短縮した内容に相当しており、警報メッセージ情報２０２中、「外気温−２度Ｃ」なる文字情報部分を省略し「スリップに注意してください」なる文字情報部分を音声情報として読み上げる出力となる。
【００４５】
一方、警報メッセージ情報２０２は、音／音声メッセージ情報３０１の出力が終了する時刻ｔ２１を経過した後の時刻ｔ２２まで継続され、その間（時刻ｔ１８〜時刻ｔ２２）は通常表示サイズｎｓで出力される。
【００４６】
次に制御手段１０３は、時刻ｔ２３をもって、視覚情報提供手段Ｖに、タイヤ空気圧低下情報に係わる視覚情報として「右前タイヤ  空気圧が不足しています」なる警報メッセージ情報（文字メッセージ）２０２を表示させる（図１０）。
【００４７】
この警報メッセージ情報２０２の概要は、図９記載のスリップ注意情報の場合と同様、背景領域２０２ａを有し、ここでは通常表示サイズｎｓで表示される。
【００４８】
次に制御手段１０３は、聴覚情報提供手段Ａにタイヤ空気圧低下情報に係わる聴覚情報が出力される。この聴覚情報も「ポーン」なるビープ音と「右前タイヤ空気圧が不足しています」なる音声メッセージとで構成される音／音声メッセージ情報（聴覚メッセージ）３０１からなり（図１０参照）、時刻ｔ２４をもって、最初に「ポーン」なるビープ音を出力させ、それが終了する時刻ｔ２５をもって、「右前タイヤ空気圧が不足しています」なる音声メッセージを出力させる。なおこの音声メッセージ情報３０１は、警報メッセージ情報２０２を省略（短縮）せずに読み上げる音声情報出力に相当する。
【００４９】
一方、警報メッセージ情報２０２は、音／音声メッセージ情報３０１の出力が終了する時刻ｔ２６を経過した後の時刻ｔ２７まで継続され、その間（時刻ｔ２３〜時刻ｔ２７）は通常表示サイズｎｓで出力される。
【００５０】
次に制御手段１０３は、時刻ｔ２７から所定時間経過後の時刻ｔ２８をもって、スリップ注意情報とタイヤ空気圧低下情報に係わる警報メッセージ情報２０２の表示サイズを通常表示サイズｎｓから縮小表示サイズｄｓに変化させて並列状態に表示させる（図１１参照）。なお縮小表示サイズｄｓとなる各警報メッセージ情報２０２は、スリップ注意情報の場合が「スリップ注意」なるメッセージ情報、タイヤ空気圧低下情報の場合が「空気圧不足」なるメッセージ情報となり、双方とも通常表示サイズｎｓを構成する文字情報の一部を含むように縮小されると共に短縮されている。なお制御手段１０３によりミュート処理は、聴覚情報の出力に応じて実行するように設定されている。
【００５１】
なお、視覚情報と聴覚情報の双方を出力する所定の提供条件が成立する例は、上記に限らず、例えば他の実施形態として図示しないが、キースイッチのオン時に「安全運転を心がけましょう」なる視覚情報を警報メッセージ情報２０２として出力すると共に、この視覚情報を構成する文字情報を読み上げる形でこれと同内容の音声メッセージ情報を聴覚情報として出力してもよく、この際、聴覚情報より先に視覚情報の出力が開始され、聴覚情報の出力終了後に視覚情報の出力が継続する提供処理を実行すればよい。
【００５２】
さらに、所定情報は警報情報に限られるものではなく、例えば他の実施形態として図示しないが、キースイッチのオン・オフに基づいて、「Ａさん  おはようございます」や「Ａさん  お疲れさまです」等の挨拶情報であってもよい。
【００５３】
また、図３に示した例では、視覚情報の出力を時刻ｔ２〜時刻ｔ７に渡って、自動的に継続させたが、例えば利用者が操作可能な操作スイッチや利用者の声に基づいて所定の処理を行う音声認識装置１２０を介した解除指示情報（入力情報）を入力端子１０１ｃを介して入手した時点（図示省略）で、視覚情報の出力自体を停止させてもよいし、通常表示サイズｎｓの出力時に解除指示情報を入手した場合は、縮小表示サイズｄｓに変更するようにしてもよい。
【００５４】
以上のように本実施形態によれば、少なくとも背景画像２０１，警報メッセージ情報２０２からなる視覚情報を含む各種視覚情報を画面内に切換表示する視覚情報提供手段Ｖと、少なくとも音／音声メッセージ情報３０１を含む聴覚情報を出力する聴覚情報提供手段Ａと、各種入力情報に応じて視覚情報提供手段Ｖと聴覚情報提供手段Ａに視覚情報と聴覚情報を出力させる制御手段１０３とを備えており、制御手段１０３は入力情報に基づいて所定の提供条件が成立すると、特定情報に係わる警報メッセージ情報２０２と音／音声メッセージ情報３０１のうち、音／音声メッセージ情報３０１より先に警報メッセージ情報２０２の出力を行い、音／音声メッセージ情報３０１の出力終了後に警報メッセージ情報２０２の出力を所定時間、または入力情報に基づく解除条件が成立するまで継続する提供処理を行うことをにより、利用者による提供情報の認識性を高めることができる。
【００５５】
すなわち、特定情報に係わる警報メッセージ情報２０２と音／音声メッセージ情報３０１の双方を平行して（同時に）出力するにあたり、警報メッセージ情報２０２の出力開始後に音／音声メッセージ情報３０１の出力を行うことによって、利用者の注意喚起性を音／音声メッセージ情報３０１にて補完することができる。これは、例えば利用者は音／音声メッセージ情報３０１が出力されると、反射的に視覚情報（警報メッセージ情報２０２）に注意を向ける傾向に着目したものである。また音／音声メッセージ情報３０１の出力が終了しても警報メッセージ情報２０２の出力を継続させることによって、警報メッセージ情報２０２に持続性を持たせ、提供情報を利用者に確実に認識させることができる。これは音／音声メッセージ情報３０１の出力終了と同時に警報メッセージ情報２０２の出力を停止させると、利用者が提供情報の内容を正確に認識できないことがあることを考慮したものである。
【００５６】
従って、制御手段１０３を通じてこのような提供処理を実行させることにより、視覚情報と聴覚情報の特性を活かして利用者による提供情報の認識性を高め、ヒューマン・マシン・インターフェース（ＨＭＩ）を向上させることができる。
【００５７】
なお本実施形態では、特定情報の内容を表さない単なる警報音に過ぎないビープ音と、これに続いて出力され、特定情報の内容を表す音声メッセージとで聴覚情報３０１を構成したが、警報音に過ぎないビープ音の出力は任意である。またビープ音を出力する場合、例えば、ビープ音を最初に出力した後、視覚情報を出力を開始し、その後、音声メッセージを出力し、その音声メッセージの出力が終了した後、視覚情報の出力が継続するようにしてもよい。
【００５８】
また本実施形態では、制御手段１０３が、音／音声メッセージ情報３０１の出力終了後、警報メッセージ情報２０２の出力を所定時間縦続する際に、画面内における表示サイズを通常表示サイズｎｓから縮小表示サイズｄｓに切り換えることにより、利用者は特定情報を認識した後、または特定情報を認識しながら、通常の画面表示を見ることが可能となり、画面表示を有効利用することができる。
【００５９】
また本実施形態では、制御手段１０３が警告メッセージ情報２０２の表示サイズを通常表示サイズｎｓから縮小表示サイズｄｓに縮小する際、縮小前の内容に対し、縮小後の内容を短縮することにより、画面表示を有効利用することができる。
【００６０】
また本実施形態では、警報メッセージ情報２０２が特定情報に相応する文字メッセージからなり、短縮後の警報メッセージ情報２０２が短縮前の警報メッセージ情報２０２を構成する特定の文字メッセージを含んで構成されることにより、コンパクトでありながら認識性の高い表示を行うことができる。なおこの場合、特定の文字メッセージは、認識性を考慮して選定すればよい。
【００６１】
また本実施形態では、警報メッセージ情報２０２と音／音声メッセージ情報３０１の双方が特定情報に相応する文字・音声メッセージからなり、制御手段１０３は提供処理を行う際、音／音声メッセージ情報３０１中、音声メッセージ情報の内容を警報メッセージ情報２０２の内容に対し、短縮して出力させることにより、利用者は確実に提供情報を聞き取ることが可能であり（音声メッセージは長い程、利用者に的確に認識させることが困難になる）、かつ詳細は必要に応じ警報メッセージ情報２０２を読み取れば良いので、ＨＭＩの向上に寄与することができる。
【００６２】
また本実施形態では、音／音声メッセージ情報３０１のうち音声メッセージ情報が少なくとも警報メッセージ情報２０２を構成する特定の文字メッセージに合致する音声（聴覚）メッセージを含むことにより、短いながらも認識性の高い聴覚出力を行うことができる。
【００６３】
また本実施形態では、警告メッセージ情報２０２の出力終了から所定時間経過したとき、あるいは、入力情報として車両に装備されたキースイッチの動作情報を受信したとき、所定の提供条件が継続しているか否かを判定し、所定の提供条件が継続していれば、（警告メッセージ情報２０２と音／音声メッセージ情報３０１の）提供処理を繰り返すことにより、利用者は確実に警報を認識でき、ＨＭＩの向上が図られる。
【００６４】
また本実施形態では、制御手段１０３が警告メッセージ情報２０２の出力終了から所定時間経過したとき、あるいは、入力情報として車両に装備されたキースイッチの動作情報を受信したとき、所定の提供条件が継続しているか否かを判定し、所定の提供条件が継続していたとき、警告メッセージ情報２０２だけを出力させることにより、再び所定の提供条件が継続していた場合、音／音声メッセージ情報３０１を抑止可能としたので、利用者の煩わしさを緩和することができる。
【００６５】
また本実施形態では、制御手段１０３は、所定の提供条件が複数種類成立したとき、予め定められた優先順序に従って、種類毎に特定情報に係わる提供処理を行うことにより、利用者は確実に提供情報を認識することができる。
【００６６】
また本実施形態では、制御手段１０３が音／音声情報を出力するとき、車両に装備されたオーディオ装置１３０の音量をミユートさせることにより、利用者は確実に聴覚情報を認識することができる。
【００６７】
【発明の効果】
以上のように本発明は、初期の目的を達成でき、利用者による提供情報の認識性を高め、ＨＭＩを向上させることができる車両用情報提供装置を提供することができる。
【図面の簡単な説明】
【図１】本発明の実施形態による車両用情報提供装置の正面図。
【図２】同実施形態による車両用情報提供装置のシステム構成を示すブロック図。
【図３】同実施形態による視覚情報出力及び聴覚情報出力のタイミング図。
【図４】同実施形態による視覚情報出力及び聴覚情報出力のタイミング図。
【図５】同実施形態による視覚情報出力及び聴覚情報出力のタイミング図。
【図６】同実施形態による視覚情報の表示例を示す正面図。
【図７】同実施形態による視覚情報の表示例を示す正面図。
【図８】同実施形態による視覚情報の表示例を示す正面図。
【図９】同実施形態による視覚情報の表示例を示す正面図。
【図１０】同実施形態による視覚情報の表示例を示す正面図。
【図１１】同実施形態による視覚情報の表示例を示す正面図。
【符号の説明】
１  車両用情報提供装置
１０  マルチディスプレイ装置
２０  アナログゲージ
２１  回転計
２２  燃料計
２３  温度計
１０１ａ〜１０１ｃ  入力端子
１０１ｄ、１０１ｅ  出力端子
１０２ａ  入力インターフエース
１０２ｂ  出力インターフエース
１０３  制御手段
１０４  記憶手段
１０５  表示駆動手段
１０６  音声合成手段
１０７  ゲージ駆動手段
１０８  アンプ
１２０  音声認識装置
１３０  オーディオ装置
１４０  スピーカ
ｔ１〜ｔ２８  時刻
２０１  背景画像
２０２  警報メッセージ情報
２０２ａ  背景領域
３０１  音／音声メッセージ情報
Ａ  聴覚情報提供手段
Ｖ  視覚情報提供手段
ｄｓ  縮小表示サイズ
ｎｓ  通常表示サイズ
【図１】
2004255945.tif 000003
【図２】
2004255945.tif 000004
【図３】
2004255945.tif 000005
【図４】
2004255945.tif 000006
【図５】
2004255945.tif 000007
【図６】
2004255945.tif 000008
【図７】
2004255945.tif 000009
【図８】
2004255945.tif 000010
【図９】
2004255945.tif 000011
【図１０】
2004255945.tif 000012
【図１１】
2004255945.tif 000013